(57)【要約】【課題】フイルムバックの遮光性を高め、フイルムバック内のフイルムの感光を防ぎ、遮光蓋のが歪むのを防止する。【解決手段】フイルムバック４に形成されたアパーチャー１３を塞ぐ遮光蓋１５の両側縁に、遮光蓋１５の移動方向に沿って延びたリブ３８を設け、バック本体に形成された遮光蓋１５の移動通路４４の溝４３に前記段差に近接する受け面を設ける。遮光蓋１５と溝４３とのわずかな隙間から外光が侵入しても、段差と受け面とがその侵入路を屈曲させ、またその隙間を通過する間に外光をほとんど減衰させ、フイルムバック４内を遮光する。また、ロックレバーをリブ３８で押圧することで遮光蓋が歪むのを防止する。【選択図】　　　　　　　　図５
2004037742.tif 000002
【特許請求の範囲】
【請求項１】
フイルムを収納し、カメラボディへの装着面にアパーチャーが形成されたバック本体と、前記アパーチャーを開閉する移動自在な遮光蓋とからなるフイルムバックにおいて、
前記遮光蓋の両側縁に、光軸方向に高さが異なり、遮光蓋の移動方向と平行に延びた段差部を設けるとともに、バック本体に形成された遮光蓋の移動通路に前記段差部に近接する受け面を設けたことを特徴とするフイルムバック。
【請求項２】
前記遮光蓋の根元側に、遮光蓋を閉じ位置まで移動させたときに前記移動通路の入り口を塞ぐ把手部材が固着され、前記段差部の後端が把手部材まで延ばされていることを特徴とする請求項１記載のフイルムバック。
【請求項３】
前記遮光蓋が、金属薄板製の遮光蓋本体と、前記段差部を構成するために遮光蓋本体に固着されたプラスチック製のリブ部材と、遮光蓋本体の後端側に固着され、遮光蓋本体を閉じ位置に移動させたときに遮光蓋の移動通路の入り口をふさぐプラスチック製の把手部材とからなることを特徴とする請求項１記載のフイルムバック。
【請求項４】
前記バック本体の遮光蓋挿入口近傍に、板バネで押圧される弾性光密部材を設けたことを特徴とする請求項１〜３のいずれか記載のフイルムバック。
【請求項５】
カメラボディに設けられたフック爪が進入する係止穴が前記装着面に形成され、係止穴から進入した前記フック爪に係合してフイルムバックがカメラボディから外されることを阻止する係止レバーを備えるとともに、この係止レバーは遮光蓋がアパーチャーを光密に閉じる位置まで移動したとき、少なくとも一つの前記段差部の先端の押圧によりフック爪との係合が解除される位置に変位されることを特徴とする請求項１〜４のいずれか記載のフイルムバック。
【請求項６】
フイルムを収納し、カメラボディへの装着面にアパーチャーが形成されたバック本体と、前記アパーチャーを開閉する移動自在な遮光蓋とからなるフイルムバックにおいて、
カメラボディに設けられたフック爪が進入する係止穴が前記装着面に形成され、係止穴から進入した前記フック爪に係合してバック本体がカメラボディから外されることを阻止する係止レバーを備えるとともに、前記遮光蓋の少なくとも一方の側縁に、光軸方向に高さが異なり、遮光蓋の移動方向と平行に延びた段差部を備え、
前記遮光蓋がアパーチャーを光密に閉じる位置まで移動したときに前記係止レバーは、前記段差部の先端の押圧によりフック爪との係合が解除される位置に変位されることを特徴とするフイルムバック。
【発明の詳細な説明】
【０００１】
【発明の属する技術分野】
本発明は、カメラボディに着脱して使用されるフイルムバックに関するものである。
【０００２】
【従来の技術】
ブローニーフイルムなどを使用する中判以上のカメラの中には、フイルムを収納するフイルムバックがカメラボディに対して着脱できるようになっているものが多い。フイルムバックのカメラボディへの装着面には、カメラボディから射出されてくる撮影光を透過させ、かつ１コマ分の露光範囲を画定するためのアパーチャーが形成されている。
【０００３】
フイルムバックに収納されたフイルムが外光に曝されることがないように、アパーチャーはダークスライドと称される遮光蓋で光密に閉じることができるようになっている。そして、フイルムバック単体での取り扱い時には遮光蓋でアパーチャーが閉じられており、カメラボディに装着した後に遮光蓋が開き位置にスライド操作される。また、カメラボディからフイルムバックを取り外すときには、まず遮光蓋でアパーチャーを閉じるようにしている。
【０００４】
このような目的で使用される遮光蓋には、耐久性を考慮し、剛性に富んだステンレス製の金属薄板が多用されている。この遮光蓋は、フイルムバックのアパーチャーの背後に形成された移動通路に沿って、閉じ位置と開き位置との間でスライド式に移動操作されるようになっている。
【０００５】
特公平４−０７３９３３号公報記載のように、アパーチャーを塞がずにフイルムバックをカメラボディから取り外すのを防ぐために、基本的には、フイルムバックに遮光蓋を挿入することで、遮光蓋の金属薄板がフイルムバックに設けたロックレバーを押圧してロックを解除し、フイルムバックをカメラボディから取り外せるようになる。また、遮光蓋の紛失などの緊急時には、フィルムバックに遮光蓋を挿入しなくても、ロックレバーのロックを解除することができ、カメラボディからフイルムバックを取り外せるようになっている。
【０００６】
【発明が解決しようとする課題】
ところが、遮光蓋は閉じ位置と開き位置との間でスライド式に移動操作されるため、その表面は平滑面に近いものとなっており、特に金属薄板製の遮光蓋では表面反射率がかなり高くなる。したがって、フイルムバックをカメラボディから取り外したとき、遮光蓋が確実に閉じられていたとしても、遮光蓋と移動通路とのわずかな隙間から外光が侵入するようなことがあると、遮光蓋の表面と移動通路内壁との間で反射を繰り返しながらフイルムバックの内部に入り込み、フイルムに達するおそれがある。なお、金属薄板表面の反射を減らすために、塗装などの表面処理を施す手法もあるが、スライド操作を繰り返すと移動通路との摺接により塗装が摩滅することが避けられず、耐久性の点で難がある。また、ロックレバーを押圧するときに、金属薄板が歪み、遮光蓋をフイルムバックから取り出せなくなることがあった。
【０００７】
本発明は上記問題を解決するためになされたもので、表面を平滑な面にした遮光蓋を用いながらも、遮光蓋とそのスライド通路との隙間から外光が侵入してフイルムにカブリを生じさせることがないようにし、また、金属薄板が歪むのを防止するフイルムバックを提供することを目的とする。
【０００８】
【課題を解決するための手段】
本発明は上記目的を達成するにあたり、遮光蓋の両側縁に、光軸方向に突出し遮光蓋の移動方向に沿って延びた段差を設け、バック本体に形成された遮光蓋の移動通路には前記段差に近接する受け面を設けたものである。遮光蓋とその移動通路とのわずかな隙間から外光が侵入したとしても、段差と受け面とがその侵入路を屈曲させ、またその間を通過する間に外光をほとんど減衰させるため、フイルムに外光カブリが生じることはない。また、遮光蓋の両側縁に沿って段差を設けることにより、遮光蓋の移動方向における強度が高められ、移動操作するときに撓んだり折れ曲がったりすることがなくなる。さらに、ロックレバーを遮光蓋の側縁に沿った段差で押圧することで、金属薄板が歪むのを防止する。
【０００９】
遮光蓋のスライド操作のために、その後端側に把手部材を固着する際には、前記段差を把手部材まで延長する。本発明に用いられる遮光蓋は、好ましくは、金属薄板製の遮光蓋本体と、前記段差を形成するために遮光蓋本体に固着されるプラスチック製のリブと、移動操作用のプラスチック製の把手部材とから構成される。さらに、フイルムバックがカメラボディから不用意に離脱することがないように、フイルムバックの装着時に、カメラボディ側に設けられたフック爪をフイルムバック側に設けられた係止穴から進入させ、フイルムバックに組み込まれた係止レバーでロックする機構を用いる場合には、遮光蓋を閉じ位置まで移動させたときに係止レバーを解除位置に変位させて前記ロックを解除するのが有効であるが、このとき、金属薄板製の遮光蓋本体で係止レバーを解除位置に変位させてロックを解除をするのではなく、遮光蓋本体に固着されたリブで係止レバーを解除位置に変位させ、フック爪と係合穴の係合が解除されるようにする。
【００１０】
【発明の実施の形態】
以下、本発明のフイルムバックの遮光構造を適用した実施形態について説明する。図１にブローニーカメラを概要的に示す。図２はカメラボディとフイルムバックの取り付けを示す斜視図である。遮光性の裏紙と写真フイルムとが重ね合わされたロールフイルムを使用するブローニーカメラ２は、カメラボディ３と、このカメラボディ３の背面側に取り付けられるフイルムバック４と、カメラボディ３の前面側に取り付けられる撮影レンズ５と、カメラボディ３の上部に取り付けられるウエストレベルファインダ６等との各種装着ユニットの組み合わせによって構成されるシステムカメラとなっている。
【００１１】
カメラボディ３は、内部にミラー機構や制御回路等が組み込まれた箱形状のカメラボディ部９があり、カメラボディ部９前面側と背面側とにはそれぞれ開口が形成されていて、前面側に形成された開口には、撮影レンズ５が取り付けられている。また、背面側には、フイルムバック４が取りつけられる。フイルムバック４は、前記ロールフイルムの装填、取り出しのために開閉される背蓋１２と、露光用のアパーチャー１３を開閉する引き出し自在な遮光蓋１５（図３参照）とを備えている。
【００１２】
カメラボディ部９の上面には、警告やエラー表示を行う液晶ディスプレイ（ＬＣＤ）が設けられている。カメラボディ部９の一方の側面には、シャッタ速度調節ダイヤ，モード切換ダイヤル，ミラーアップスイッチ，レリーズスイッチ等が取り付けられた操作パネル等が設けられている。また、カメラボディ部９の他方の側面には、操作レバー２１が設けられている。カメラボディ部９の背面には、コネクタ２２と、係合フックと２３、係止片２４が形成されている。
【００１３】
図３はフイルムバックの概略図である。フイルムバック４の前面には、露光用のアパーチャー１３と、カメラボディ３の係合フック２３が係合する係合穴２７と、カメラボディ３側のコネクタ２２と接続するコネクタ２８と、係止片２４と係合する係止部２９とがある。
【００１４】
フイルムバック４の上面には、装填されているロールフイルムの各種情報などを表示する液晶ディスプレイ３１と、この液晶ディスプレイ３１に各ユニットのトータルショット数を表示させるトータルショットボタン等が設けられた操作パネル３２とが設けられている。フイルムバック４の背面に設けられた背蓋１２からは、ロールフイルムと、露光済みの写真フイルム３０を巻き取るためのスプールとを収納できるフイルムホルダが取り付けられる。また、フイルムバック４側面のマウントトプレート３３とフイルムバックフレーム３４の接合部には、遮光蓋１５を挿入するためのスリット３５が形成されている。
【００１５】
図４は遮光蓋の外観を示す図である。遮光蓋１５は、ステンレス製の金属薄板３７と、カーボン入りポリプロピレンからなるリブ３８と、つまみ３９とからなる。図４に示すように、金属薄板３７の両端近傍にスリット４０を入れ、アパーチャー１３をリブ３８を金属薄板３７の表面と裏面に各２本取り付ける。リブ３８は、つまみ３９で金属薄板３７と一体になり、つまみ３９と反対側の端辺までのびている。遮光蓋１５をスリット３５から抜き差しすることでアパーチャー１３を開閉する。
【００１６】
図５は遮光蓋移動方向に垂直なフイルムバックの要部断面図である。フイルムバック４の内部には、写真フイルム３０や裏紙４１を平面にするための圧板４２と、ロールフイルムが装填されるフイルム装填室と、写真フイルム３０への露光範囲を規定するアパーチャー１３が設けられている。マウントプレート３３とフイルムバックフレーム３４の接合部には、溝４３が形成されている。溝４３には、遮光蓋１５に設けたリブ３８の段差に近接する受け面が連設されている。また、一方の溝４３から他方の溝４３の間には、アパーチャー１３を開閉するための遮光蓋１５の移動通路４４が形成されている。写真撮影時には、遮光蓋１５は移動通路４４から引き抜かれる。
【００１７】
図６は遮光蓋移動方向に平行なフイルムバックの要部断面図である。マウントプレート３３とフイルムバックフレーム３４の接合部には、溝４５が形成されている。また、溝４５に板バネ４６を取り付け、遮光蓋１５が移動通路４４から抜け落ちるのを防止し、アパーチャー１３が閉じた状態を保てるようにした。アパーチャー１３を閉じた時、遮光蓋１５の挿入口であるスリット３５をつまみ３９で塞ぐようになっている。
【００１８】
溝４５には、柔軟性及び遮光性を有する人工スエードが光密部材４７、４８として設けられている。光密部材４７は、スリット３５の近傍に設けられ、背面側に設けられた一方が板バネ４６で押圧されている。光密部材４８は、遮光蓋１５を挿入してアパーチャー１３を完全に塞いだときに、遮光蓋１５の先端と接する位置に設けられている。光密部材４７は、フイルムバック４がカメラボディ３に取り付けられているときに、スリット３５からフイルムバック４内に光が侵入するのを防止している。また、光密部材４８は、アパーチャー１３を完全に塞いだときに、遮光蓋１５の先端に密着し、カメラボディ３から取り外されているときのフイルムバック４の遮光性を高め、フイルムバック４内に光が侵入するのを防止している。
【００１９】
図７はフイルムバックの前面の構成を示す斜視図である。図７に示すように、フイルムバック４のバック本体は、フイルムバックフレーム３４と、カメラボディ３への装着面側に取り付けられ、中央に開口３６が形成されたマウントプレート３３と、フイルムバックフレーム３４の側面を覆う後カバー４９とから構成される。マウントプレート３３のカメラボディ３への装着面側の中央にはアパーチャ１３が形成されている。このアパーチャ１３の周縁部近傍の一部は凹部になっている。
【００２０】
このフイルムバックフレーム３４の凹部には、ロックレバー５０がピン５１により回動自在に取り付けられ、ロックレバー５０が取り付けられた下部には、ロックレバー５０を時計方向に付勢するバネ５３が取り付けられている。ロックレバー５０は略への字状をしており、その一端には遮光蓋１５を閉じ位置に移動したときに、リブ３８により押圧される当接片５０ａが形成されている。また、他端にはカメラボディ３に設けられた係止フック２３に当接し、操作レバー２１による係止フック２３のスライドを防止するスライド防止片５０ｂが形成されている。ロックレバー５０、ピン５１、バネ５３が取り付けられたフイルムバックフレーム３４の凹部前面には、係止フック２３が挿通され、かつ係止フック２３との係合を行うための開口を備えた金属板５５が取り付けられる。
【００２１】
カメラボディ３にフイルムバック４が取り付けられているときに、遮光蓋１５がアパーチャー１３を開く位置に移動した場合、ロックレバー５０が時計方向に回転してスライド防止片５０ｂを係止フック２３のスライド方向側から係止フック２３をロックし、係止フック２３のスライドを禁止する（図８参照）。また、遮光蓋１５がアパーチャー１３を閉じる位置に移動した場合には、リブ３８の先端部が当接片５０ａの下に入り込み、当接片５０ａを押圧することで、ロックレバー５０をバネ５３の付勢に抗して図中反時計方向に移動する（図９参照）。これにより、操作レバー２１の操作が有効化され、係止フック２３のスライドが可能となる。
【００２２】
次に、このようにして形成されたフイルムバックの作用を説明する。まず、ロールフイルムとスプールをそれぞれの所定位置にセットしたフイルムホルダをフイルムバック４に取り付ける。このとき、遮光蓋１５は閉じ位置に位置し、装填されたロールフイルムを感光しないようにアパーチャー１３を被覆している。このとき、ロックレバー５０の当接片５０ａはリブ３８の先端で押圧され、図９に示す状態になっている。このとき、リブ３８で当接片５０ａを押圧するので、金属薄板３７で当接片５０ａを押圧する場合とは異なり、バネ５３の付勢によって金属薄板３７が歪み、移動通路４４から引き出せなくなるということはない。
【００２３】
フイルムバック４をカメラボディ３に取り付ける時には、フイルムバック４の下部に形成された係止部２９にカメラボディ３の下部に形成された係止片２４を引っ掛けた後に、操作レバー２１をスライドさせて係止フック２３をバネ５３の付勢に抗してスライドさせる。その後、係止フック２３を係合穴２７に挿通させ操作レバー２１を離すと、係止フック２３はバネ５３の付勢により初期位置へとスライドし、係止フック２３が係合穴２７に係止される。これにより、フイルムバック４がカメラボディ３に装着される。
【００２４】
図８に示すように、遮光蓋１５を移動通路４４から引き出すため、スライドさせ、開位置に移動すると、リブ３８によってロックレバー５０の当接片５０ａへの押圧が解除され、ロックレバー５０はバネ５３の付勢を受けて図中時計方向に回転する。このとき、ロックレバー５０が回転し係止フック２３とスライド防止片５０ｂとが当接する。これにより、操作レバー２１をスライドさせても、係止フック２３がスライドすることはない。係止フック２３がスライドできないため、カメラボディ３からフイルムバック４を取り外すことができない。
【００２５】
カメラボディ３と、フイルムバック４が取り付けられたブローニーカメラ２は、フイルム送りを開始する。ロールフイルムを規定量送ることで最初の撮影コマがアパーチャ１３にセットされる。レリーズボタンを押圧することで、撮影が行える。
【００２６】
繰り返し撮影を行い、最後の撮影コマを撮影するとフイルム給送機構が作動し、フイルム最終送りが行われる。フイルム最終送りは、写真フイルム３０の全てをスプールに巻き取るまで写真フイルム３０を送る。これにより、全ての写真フイルム３０がスプールに巻き取れられる。
【００２７】
スプールに露光済みのロールフイルムが巻き取られた後に、遮光蓋１５でアパーチャー１３を塞ぐ。このとき、リブ３８がロックレバー５０の下に入り込み、当接片５０ａを押圧する。これにより、ロックレバー５０がバネ５３の付勢に抗して反時計方向に回動し、係止フック２３とスライド防止片５０ｂとの当接が解除される。このとき、操作レバー２１をスライドさせると、係止フック２３と係合穴２７との係合が解除され、フイルムバック４をカメラボディ３から取り外すことができる。これによって、アパーチャー１３を塞がずにカメラボディ３からフイルムバック４を取り外し、フイルムバック４内の写真フイルム３０を感光させることがなくなる。
【００２８】
カメラボディ３から取り外されたフイルムバック４は、カメラボディとの装着面が外光に曝される。遮光蓋１５にリブ３８を取り付けて段差を設け、溝４３に前記段差に近接した受け面を設けたことで、遮光蓋１５と移動通路４４とのわずかな隙間からフイルムバック４内に外光が侵入したとしても、リブ３８の段差と溝４３との隙間によって光の侵入路を屈曲させ、リブ３８の段差と溝４３の隙間を通過する間に光をほとんど減衰させる。これによって、フイルムバック内に侵入する光は微弱になり、フイルムバック４内の写真フイルム３０に外光カブリを生じることはない。
【００２９】
また、遮光蓋１５の両側縁に沿ってリブ３８を設けたことにより、遮光蓋１５の移動方向における強度が高められ、移動操作するときに撓んだり折れ曲がったりすることがなくなる。
【００３０】
図１０〜図１２は遮光蓋の外観を示す概略図である。本発明は上記実施例の遮光蓋１５だけでなく、図１０に示す段差３７ａを設けた遮光蓋１５や図１１に示すリブ３８をもつ遮光蓋１５や図１２に示す一枚の金属板を折り曲げてリブ３８を形成した遮光蓋１５等にも適用することができる。
【００３１】
また、本実施例では、ロックレバー５０の当接片５０ａをリブ３８で押圧したが、段差３７ａによって当接片５０ａを押圧してもよい。
【００３２】
以上、ブローニーカメラのフイルムバックの遮光構造を例に説明してきたが本発明は必ずしもこれに限らず、インスタントカメラや大判カメラなどフイルムバックを使用するカメラに適用可能である。本発明の実施例にあげた遮光蓋の形状だけではなく、上記の実施の形態と異なる形状の場合も適用可能である。また、遮光蓋や、光密部材の材質が実施の形態と異なる場合においても適用可能である。
【００３３】
【発明の効果】
上述のように、本発明のフイルムバックによれば、遮光蓋にリブ等で段差を設け、遮光蓋の移動通路である溝に前記段差に近接した受け面を設けたことで、遮光蓋の段差と溝の隙間からフイルムバック内に光が侵入したとしても、前記隙間を通過する間に光を減衰させて、フイルムバック内のフイルムの感光を防止した。これにより、小型のフイルムバックのフイルムバック内も遮光できる。また、アパーチャーを完全に塞がなければ、カメラボディからフイルムバックを取り外せない構造にした。ロックレバーをリブで押圧するようにしたので　金属薄板３７が歪むのを防ぐことが出来る。
【図面の簡単な説明】
【図１】ブローニーカメラの外観を示す概略図である。
【図２】カメラボディとフイルムバックの取り付けを示す斜視図である。
【図３】フイルムバックの外観を示す概略図である。
【図４】遮光蓋の外観を示す概略図である。
【図５】本発明でのフイルムバックをアパーチャーで閉じた状態の断面図である。
【図６】本発明でのフイルムバックをアパーチャーで閉じた状態の断面図である。
【図７】フイルムバックの前面の構成を示す斜視図である。
【図８】遮光蓋が閉じ位置にある場合のロックレバーの状態を示す斜視図である。
【図９】遮光蓋が開き位置にある場合のロックレバーの状態を湿す斜視図である。
【図１０】遮光蓋の外観を示す概略図である。
【図１１】遮光蓋の外観を示す概略図である。
【図１２】遮光蓋の外観を示す概略図である。
【符号の説明】
２　ブローニーカメラ
３　フイルムバック
１３　アパーチャー
１５　遮光蓋
２３　係止フック
２７　係合穴
３８　リブ
４７　光密部材
【図１】
2004037742.tif 000003
【図２】
2004037742.tif 000004
【図３】
2004037742.tif 000005
【図４】
2004037742.tif 000006
【図５】
2004037742.tif 000007
【図６】
2004037742.tif 000008
【図７】
2004037742.tif 000009
【図８】
2004037742.tif 000010
【図９】
2004037742.tif 000011
【図１０】
2004037742.tif 000012
【図１１】
2004037742.tif 000013
【図１２】
2004037742.tif 000014